(57)【特許請求の範囲】
【請求項１】
テープカセット等の記憶媒体を出し入れするカセットドアを備え、このカセットドアに設けたロック手段により、このカセットドアの閉状態のロック及びロック解除を行う電気機器において、このカセットドアからの記憶媒体を出操作するエジェクトボタンに前記ロック手段を連結して、エジェクトボタンの押操作によりロック手段がロック解除し、前記ロック手段は、機器本体におけるカセットドアの下方位置に、回転体が回動可能に枢着され、この回転体から前記カセットドアの裏面までロック爪が延設され、この回転体の下部には、エジェクトボタンから機器本体内に向けて延設された係止用板材の上面の係止爪に係脱可能に係止する係止用溝が形成された構成とされ、前記回転体を垂直向きに立てた状態では、前記係止用溝に前記係止爪が係合し前記ロック爪がカセットドアの裏面側に位置してカセットドアをロックし、前記エジェクトボタンを押すことによって前記係止用爪の端部側を下向きに移動させ、前記係止用爪と前記係止用溝との係合状態を解除し前記回転体を斜め向きに回動して前記ロック爪をカセットドアの裏面から離してロック解除することを特徴とする電気機器。
【請求項２】
前記ロック手段の回転体には、機器本体の表面側から回転体を回動操作するための回動操作片が延設されていることを特徴とする請求項１に記載の電気機器。
【請求項３】
前記ロック手段の回転体と機器本体の裏面との間には、前記回転体をそのロック爪がカセットドアの裏面から離れて前記カセットドアのロックを解除する方向に付勢するための弾性体が介在されていることを特徴とする請求項２に記載の電気機器。
【発明の詳細な説明】
【０００１】
【発明の属する技術分野】
本発明は、テープカセット等の記憶媒体を出し入れするカセットドアを備え、このカセットドアに設けたロック手段により、このカセットドアの閉状態のロック及びロック解除を行うようにした電気機器に関する。
【０００２】
【従来の技術】
従来のカセットドアは、常時開閉できる構成のものが多く、このために、子供等の悪戯によりこのカセットドアを開けて、小さいおもちゃ等の異物が混入する虞があった。
更に、テープカセットが入っている状態でも、カセットドアを開いて他のテープカセット等の記憶媒体を更に挿入する虞があるという問題があった。
【０００３】
また、特開平５−１３５５５８号公報には、カセット蓋のロック機構が記載されている。
これは、図４に示すように、機器本体のカセット挿入口の下側縁にロック係合部１９２が形成され、一方カセット蓋１０１に開口部１１１が形成され、このカセット蓋１０１の裏側にロック解除レバー１０５が回動可能に設けられるとともに、このロック解除レバー１０５はその一部が開口部１１１を通ってカセット蓋１０１の表側に突出する押込部１５３に形成され、またカセット蓋１０１の裏側にロック片１０３がロック解除レバー１０５との連係によって上下方向に移動可能に設けられるとともに、このロック片１０３はその移動範囲の下方位置にあるときにはロック係合部１９２に係合し、かつロック解除レバー１０５の押込部１５３をカセット蓋１０１の裏側に向かって押し込むことにより上方に移動してロック係合部１９２との係合が解除されるように設けられたものである。
【０００４】
ところがこれにおいては、子供の悪戯等によって、おもちゃ等の異物がカセット挿入口から内部に混入することを防ぐことはできるが、他のカセットは入れられるので、カセットが入った状態で他のカセットを挿入する虞があるという問題があった。
更に、ロックを解除するときには、両手で左右のロック解除レバー１０５の押込部１５３をカセット蓋１０１の裏側に向かって押し込む必要があり、片手でできないという問題があった。
【０００５】
【発明が解決しようとする課題】
本発明は、上記従来の問題を解消し、エジェクトボタンを押操作することにより片手で容易にカセットドアをロック解除することができるとともに、子供の悪戯等による異物の混入を防ぐことができ、且つテープカセット等の記憶媒体が入った状態では、他のテープカセット等の記憶媒体を挿入することができないようにした電気機器を提供することを目的としている。
【０００６】
【課題を解決するための手段】
上記目的を達成するために、請求項１に記載の発明は、テープカセット等の記憶媒体を出し入れするカセット手段により、このカセットドアに設けたロック手段により、このカセットドアの閉状態のロック及びロック解除を行う電気機器において、このカセットドアからの記憶媒体を出操作するエジェクトボタンに前記ロック手段を連結して、エジェクトボタンの押操作によりロック手段がロック解除し、前記ロック手段は、機器本体におけるカセットドアの下方位置に、回転体が回動可能に枢着され、この回転体から前記カセットドアの裏面までロック爪が延設され、この回転体の下部には、エジェクトボタンから機器本体内に向けて延設された係止用板材の上面の係止爪に係脱可能に係止する係止用溝が形成された構成とされ、前記回転体を垂直向きに立てた状態では、前記係止用溝に前記係止爪が係合し前記ロック爪がカセットドアの裏面側に位置してカセットドアをロックし、前記エジェクトボタンを押すことによって前記係止用爪の端部側を下向きに移動させ、前記係止用爪と前記係止用溝との係合状態を解除し前記回転体を斜め向きに回動して前記ロック爪をカセットドアの裏面から離してロック解除することを特徴としている。
【０００７】
請求項２に記載の発明は、前記ロック手段の回転体には、機器本体の表面側から回転体を回動操作するための回動操作片が延設されていることを特徴としている。
【０００８】
請求項３に記載の発明は、前記ロック手段の回転体と機器本体の裏面との間には、前記回転体をそのロック爪がカセットドアの裏面から離れて前記カセットドアのロックを解除する方向に付勢するための弾性体が介在されていることを特徴としている。
【０００９】
【発明の実施の形態】
以下、本発明に係る電気機器の実施の形態について、図を参照しつつ説明する。  図１は本発明の実施形態の電気機器の要部であるカセットドアをロックした状態の概略裏面図、図２は同要部であるカセットドアをロックした状態の概略裏面図、図３は同要部の図１の状態の概略側面図である。
【００１０】
本実施形態の電気機器は、図１、図２、図３に示すように、テープカセット等の記憶媒体（図示略）を出し入れするカセットドア１を備えており、このカセットドア１をロックするロック手段２が機器本体３の裏面側に設けられている。
このロック手段２は、機器本体３におけるカセットドア１の裏面側の下方位置に、板状の回転体４が軸体５によって回動可能に枢着され、この回転体４からカセットドア１の裏面まで細板状のロック爪６が延設され、この回転体４の下部には、エジェクトボタン７から機器本体３内に向けて延設された係止用板材８の上面に突設された係止爪８１に係脱可能に係止する係止用溝４１が形成された構成となっている。
【００１１】
更に、回転体４には、機器本体３の表面側から回転体４を回動操作するための回動操作片４２が延設されており、この回動操作片４２の先端の突起部４３が機器本体３に形成された弧状溝３１に嵌め入れられていて、この突起部４３を弧状溝３１に沿って移動させることによって、回転体４が回動されて、そのロック爪６が、カセットドア１の裏面側に位置してこのカセットドア１を閉状態にロックする位置と、カセットドア１の裏面から離れてこのカセットドア１をロック解除して開閉自由にする位置とに移動するように構成されている。
また、回転体４の他方側には突出片４４が水平向きに突設されていて、この突出片４４と機器本体３の裏面との間に、回転体４をそのロック爪６がカセットドア１の裏面から離れてカセットドア１のロックを解除する方向に回動するように付勢するスプリングからなる弾性体９が介在されている。
【００１２】
上記した構成により、本実施形態の電気機器では、図１、図３に示すように、回転体４が垂直向きにある状態で、その係止用溝４１に、エジェクトボタン７から機器本体３内に向けて延設された係止用板材８の上面に突設された係止爪８１が係入していて、回転体４の回転が阻止された状態となり、そのロック爪６がカセットドア１の裏面に位置してカセットドア１を閉状態にロックしている。
この状態では、カセットドア１は開くことができないので、子供の悪戯等によっておもちゃ等の異物等が機器本体３内に混入することを防ぐことができ、更に、機器本体３内にカセットが入っている状態で他のカセットを挿入することができないこととなる。
【００１３】
そして、カセットを出し入れするときには、エジェクトボタン７を機器本体３の表面側即ち外側から押操作すると、このエジェクトボタン７から機器本体３内に延設された係止用板材８の先端側が下向きに移行して、その上面に突設された係止爪８１が回転体４の係止用溝４１から離脱するので、回転体４はフリーな状態となって、図２に示すように、弾性体９の付勢力で反時計方向に回動して、ロック爪６がカセットドア１の裏面から離れるので、カセットドア１はロック解除されて開閉自由な状態となる。
このように、エジェクトボタン７を押操作するだけで片手で容易にカセットドア１のロックを解除することができて、操作性に優れている。
尚、本発明の電気機器は、テープデッキたけに限らず、テープカセット等の記憶媒体を出し入れする他の電気機器にも適用できることは勿論である。
【００１４】
【発明の効果】
以上説明したように、請求項１に記載の発明によれば、カセットドアを閉状態にロックするロック手段を、カセットドアからテープカセット等の記憶媒体を出操作するエジェクトボタンの押操作によってロック解除してカセットドアを開閉自由とし、更に、カセットドアを閉状態にロックするためのロック手段が、機器本体におけるカセットドアの下方位置に、回転体が回動可能に枢着され、この回転体から前記カセットドアの裏面までロック爪が延設され、この回転体の下部には、エジェクトボタンから機器本体内に向けて延設された係止用板材の上面の係止爪に係脱可能に係止する係止用溝が形成された構成とされているので、エジェクトボタンを操作するだけで片手で容易にロック解除することができて操作性に優れている。更に、エジェクトボタンを押操作する以外では、カセットドアが閉状態にロックされるので、子供の悪戯等による異物の混入を防ぐことができ、且つテープカセット等の記憶媒体が入った状態では、他のテープカセット等の記憶媒体を挿入することができない。
【００１５】
更に、エジェクトボタンから機器本体内に向けて延設された係止用板材の上面の係止爪に回転体の下部の係止用溝が係止している状態では、回転体のロック爪がカセットドアの裏面側に位置していて、カセットドアを開くことができない。この結果、カセットドアを容易に開くことができないので、子供の悪戯等による異物混入を確実に防ぐことができ、且つテープカセット等の記憶媒体が入った状態では、他のテープカセット等の記憶媒体を挿入することが全くできない。
【００１６】
また、エジェクトボタンを押操作すると、このエジェクトボタンから機器本体内に向けて延設された係止用板材の上面の係止爪と、回転体の下部の係止用溝との係止状態を解除できるので、この解除状態で回転体を回動するだけでロック爪をカセットドアの裏面から離すことができ、簡単にカセットドアのロック状態を解除できて、テープカセット等の記憶媒体を出し入れすることができる。
【００１７】
請求項２に記載の発明によれば、ロック手段の回転体には、機器本体の表面側から回転体を回動操作するための回動操作片が延設されているので、この回動操作片を指で回動操作するだけで、エジェクトボタンを押操作と合わせてこの回転体を回転操作するだけで、ロック手段によるカセットドアのロックとロック解除とを極めて簡単に行うことができる。
【００１８】
請求項３に記載の発明によれば、ロック手段の回転体と機器本体の裏面との間に、回転体をそのロック爪がカセットドアの裏面から離れてカセットドアのロック解除する方向に付勢するための弾性体が介在されているので、エジェクトボタンを押操作して係止爪と係止用溝との係止状態を解除するだけで、この弾性体の付勢力で回転体が自動的に回動してロック状態を解除することができて、その操作が簡単であり、操作性に優れている。
【図面の簡単な説明】
【図１】本発明の実施形態の電気機器の要部であるカセットドアをロックした状態の概略裏面図である。
【図２】実施形態の電気機器の要部であるカセットドアをロックした状態の概略裏面図である。
【図３】実施形態の電気機器の要部の図１の状態での概略側面図である。
【図４】従来のカセット蓋のロック機構を示す図である。
【符号の説明】
１            カセットドア
２            ロック手段
３            機器本体
４            回転体
４１          係止用溝
４２          回動操作片
６            ロック爪
７            エジェクトボタン
８            係止用板材
８１          係止爪
９            弾性体
【図１】
0003551358.tif 000002
【図２】
0003551358.tif 000003
【図３】
0003551358.tif 000004
【図４】
0003551358.tif 000005